(57)【要約】 【課題】  １つの電話回線を利用して転送電話機能を安価なランニングコストで実現することが可能な電話機を提供する。【解決手段】  電話機は、電話回線網を経由した加入電話による通話と、ＩＰ網（インターネット）を経由したいわゆるＩＰ電話による通話が可能である。電話回線網を経由して外部の発信元から着信を受けると、その音声信号をデジタル音声データに変換し、ＩＰ網を介して転送先電話番号へ発信する。即ち、加入電話で受信した外部からの着信を、ＩＰ電話を利用して他の電話番号へ転送する。よって、電話回線の契約は１回線でよく、従来のように転送電話を利用するために２回線の契約を必要としない。よって、低コストで転送電話を実現することができる。また、転送先電話番号への発信を低料金のＩＰ電話で行うので、通話料金も安価とすることができ、ランニングコストも抑えることができる。【選択図】      図６
2005333329.tif 000002
【特許請求の範囲】
【請求項１】
電話回線網を経由して外部の発信元からの着信を受ける受信部と、
着信した音声信号をデジタル音声データに変換する変換部と、
前記デジタル音声データを、ＩＰ網を介して転送先電話番号へ発信する発信部と、を備えることを特徴とする電話機。
【請求項２】
前記転送先電話番号を記憶する記憶部と、
前記着信を受けたときに、前記記憶部から前記転送先電話番号を取得する手段と、を備えることを特徴とする請求項１に記載の電話機。
【請求項３】
前記受信部は、前記着信後に前記外部の発信元から転送先電話番号の指定を受信し、
前記発信部は、指定された転送先電話番号へ発信することを特徴とする請求項１に記載の電話機。
【請求項４】
前記受信部が前記着信を受けた後、前記外部の発信元へ音声メッセージを送信する手段を備えることを特徴とする請求項１乃至３のいずれか一項に記載の電話機。
【請求項５】
前記着信した音声信号と、前記デジタル音声データとのレベル調整を行うレベル調整手段を備えることを特徴とする請求項１乃至４のいずれか一項に記載の電話機。
【発明の詳細な説明】
【技術分野】
【０００１】
本発明は、ＩＰ（Internet Protocol）電話に使用可能な電話機における転送電話機能に関する。
【背景技術】
【０００２】
従来の転送電話装置は、２つの電話回線を使用して、一方の電話回線で着信した電話を他方の電話回線を使用して転送するものであった。このため、ユーザは電話転送を実現するために２回線を引き込む必要があり、さらに２回線分の電話基本料金を支払う必要があった。
【０００３】
それとは別に、近年、インターネットの普及により、従来の公衆交換電話網（PSTN: Public Switched Telephone Network）を使用した電話（以下、「加入電話」と呼ぶ。）に加えて、インターネットを利用したＩＰ電話サービス（以下、「ＩＰ電話」と呼ぶ。）が普及している。ＩＰ電話サービスは、１つの電話回線で通常の電話音声帯域とは異なる帯域を使用するＡＤＳＬを利用し、ＩＰ網を介して音声信号をデジタルデータとして送受信するものである。これにより、ユーザは、安価な電話サービスを受けることができる。また、ＩＰ電話の特徴として、通常の加入電話と同時に使用することができることが挙げられる。
【０００４】
なお、ＩＰ電話に関連する文献として、特許文献１及び２などがある。
【０００５】
【特許文献１】特開２００３−１３４１７２号公報
【特許文献２】特開２００３−１８８９９２号公報
【発明の開示】
【発明が解決しようとする課題】
【０００６】
本発明が解決しようとする課題には上記のようなものが例として挙げられる。本発明は、１つの電話回線を利用して転送電話機能を安価なランニングコストで実現することが可能な電話機を提供することを課題とする。
【課題を解決するための手段】
【０００７】
請求項１に記載の発明は、電話機であって、電話回線網を経由して外部の発信元からの着信を受ける受信部と、着信した音声信号をデジタル音声データに変換する変換部と、前記デジタル音声データを、ＩＰ網を介して転送先電話番号へ発信する発信部と、を備えることを特徴とする。
【発明を実施するための最良の形態】
【０００８】
本発明の好適な実施形態では、電話機は、電話回線網を経由して外部の発信元からの着信を受ける受信部と、着信した音声信号をデジタル音声データに変換する変換部と、前記デジタル音声データを、ＩＰ網を介して転送先電話番号へ発信する発信部と、を備える。
【０００９】
上記の電話機は、電話回線網を経由した加入電話による通話と、ＩＰ網（インターネット）を経由したいわゆるＩＰ電話による通話が可能である。電話回線網を経由して外部の発信元から着信を受けると、その音声信号をデジタル音声データに変換し、ＩＰ網を介して転送先電話番号へ発信する。即ち、加入電話で受信した外部からの着信を、ＩＰ電話を利用して他の電話番号へ転送する。よって、電話回線の契約は１回線でよく、従来のように転送電話を利用するために２回線の契約を必要としない。よって、低コストで転送電話を実現することができる。また、転送先電話番号への発信を低料金のＩＰ電話で行うので、通話料金も安価とすることができ、ランニングコストも抑えることができる。
【００１０】
上記の電話機の一態様は、前記転送先電話番号を記憶する記憶部と、前記着信を受けたときに、前記記憶部から前記転送先電話番号を取得する手段と、を備える。この態様では、外部からの着信を、予め記憶部に記憶しておいた転送先電話番号へ自動的に転送することができる。
【００１１】
上記の電話機の他の一態様では、前記受信部は、前記着信後に前記外部の発信元から転送先電話番号の指定を受信し、前記発信部は、指定された転送先電話番号へ発信する。この態様では、外部から発信したユーザが指定した転送先電話番号へ電話を転送することができる。よって、外部から低料金の経路で上記の電話機へ発信し、さらに転送先電話番号を低料金なＩＰ電話とすることにより、通話料金をかなり抑えることが可能となる。
【００１２】
上記の電話機の他の一態様は、前記受信部が前記着信を受けた後、前記外部の発信元へ音声メッセージを送信する手段を備える。これにより、外部から発信したユーザは、転送電話処理中であることを知ることができる。また、外部から発信したユーザが転送先電話番号を指定する場合には、音声メッセージに、転送先電話番号の指定を促すメッセージを含めることができる。
【００１３】
上記の電話機の他の一態様は、前記着信した音声信号と、前記デジタル音声データとのレベル調整を行うレベル調整手段を備えることができる。これにより、違和感の無い音量で転送電話を実現することができる。
【実施例】
【００１４】
以下、本発明の好適な実施例を図面に基づいて説明する。なお、以下の実施例は、本発明をコードレス電話機に適用した例を示すが、これは本発明の適用をコードレス電話機に限定することを意図するものではない。
【００１５】
［基本構成］
図１に、本発明の実施例に係るコードレス電話機の全体構成を示す。図示のように、コードレス電話機１００は、１つの親機１１０ａと、１つ又は複数の子機１１０ｂとを備える。親機１１０ａは外部の電話回線網１０３と接続されている。なお、親機１１０ａはＡＤＳＬモデムなどを介してＩＰ網（インターネット）にも接続されるが、これについては後述する。
【００１６】
また、親機１１０ａは、子機１１０ｂと無線通信を行うことにより、必要な電話帳データや各種の設定データなどを授受する。さらに、親機１１０ａと子機１１０ｂとの通信により、ユーザは子機１１０ｂを利用して外部と通話することができる。
【００１７】
まず、親機１１０ａの構成について説明する。図２は、コードレス電話機１００の親機１１０ａの概略構成を示すブロック図である。
【００１８】
図２において、親機１１０ａは、検波回路１と、回線制御回路２と、通話回路３と、ＤＳＰ（Digital Signal Processor）４と、無線送受信回路５と、アンテナ６と、ＣＰＵ７と、キースイッチ８と、ＣＰＵ７に接続されたドライバ９と、ドライバ９によって駆動される液晶パネルや有機ＥＬなどのディスプレイ１０とを備えている。
【００１９】
検波回路１は、外線接続端子Ｌ１、Ｌ２に入力される外線着信信号および受信信号を検波する。回線制御回路２は電話機と外線との回線接続を制御し、通話回路３は回線制御回路２を介して入力されてくる受信信号の後述する他の回路への送出や外線への送話信号の送出を行う。ＤＳＰ４は、通話回路３を介して入力されてくる受信信号や外線に送出する送話信号の音声処理を行うとともに、ＣＰＵ７に対してモデムとして機能する。無線送受信回路５は、子機との間でＭＣＡ（マルチ・チャンネル・アクセス）方式による無線通話回路を形成する。アンテナ６は、子機との間で無線の送受信を行うために使用される。
【００２０】
ＣＰＵ７は、回線制御回路２、通話回路３、ＤＳＰ４、及び無線送受信回路５に接続され、各回路の作動制御を行う。また、ＣＰＵ７にはメモリなどにより構成される記憶部１１５ａが接続されており、このメモリ１１５ａは電話帳データなどを記憶する。
【００２１】
また、親機１１０ａは、外線接続端子Ｌ１、Ｌ２から入力されてくる外線着信信号を検出するリング回路１１、リング回路１１による外線着信信号の検出によって呼出音を鳴らすモニタスピーカ１２、オンフックモード時にハンズフリーによる通話を行うためのマイク１３、及び、子機を置いたままで通話するためのオンフックモードへの切り換えを行うオンフックスイッチ１４をさらに備える。
【００２２】
次に、子機１１０ｂの構成について説明する。図３は、コードレス電話機１００の子機１１０ｂの概略構成を示すブロック図である。
【００２３】
図３において、子機１１０ｂは、アンテナ２１と、無線送受信回路２２と、ＤＳＰ２３と、ＣＰＵ２４と、ＣＰＵ２４に接続されて電話番号等のデータ入力や電話機操作を行うキースイッチ２５と、ＣＰＵ２４に接続されたドライバ２６と、ドライバ２６によって駆動される液晶パネルや有機ＥＬなどのディスプレイパネル２７とを備えている。また、子機１１０ｂはさらに、マイク２８、レシーバ２９を備える。
【００２４】
アンテナ２１は、親機１１０ａとの間で無線の送受信を行うために使用される。無線送受信回路２２は、アンテナ２１を介して親機１１０ａとの間でＭＣＡ方式による無線通話回路を形成する。ＤＳＰ２３は、無線送受信回路２２を介して入力されてくる受信信号や外線に送出する送話信号の音声処理を行うとともに、ＣＰＵ２４に対してモデムとして機能する。ＣＰＵ２４は、ＤＳＰ２３および無線送受信回路２２に接続され、各回路の作動制御を行う。ＣＰＵ２４には、記憶部としての１１５ｂが接続されており、メモリ１１５ｂは電話帳データなどを記憶する。
【００２５】
次に、ＩＰ電話と加入電話の通話経路について図４を参照して説明する。図４は、ＩＰ電話に対応したコードレス電話機１００が通話を行う場合の経路を示す。具体的には、図示のように、本発明によるコードレス電話機１００から、ＩＰ電話に対応した電話機（以下、「ＩＰ電話」と呼ぶ。）２１１、一般加入電話２１２、「１１０」、「１１９」などの特殊番号２１３、及び、携帯電話の「０９０」、フリーダイヤルの「０１２０」など現状ではＩＰ電話による通話が制限されている所定の番号（以下、「除外番号」と呼ぶ）２１４にそれぞれ発信する際の通話の経路を説明する。なお、コードレス電話１００はＩＰ電話サービスを提供する特定のＡＤＳＬ通信事業者（以下、単に「通信事業者」、「キャリア」とも呼ぶ。）ＡのＩＰ電話サービスに加入しているものとする。また、通話の相手であるＩＰ電話２１１も同一の通信事業者ＡのＩＰ電話サービスに加入しているものとする。
【００２６】
まず、通話の相手が同一の通信事業者ＡのＩＰ電話２１１である場合には、基本的に通話は全てＩＰ網１０５を経由する（ルートＲ１）。この場合は、一般の電話回線網１０３を経由しないので加入電話の通話料金は発生しない。ＩＰ網１０５のみの通信であるので、通信事業者Ａは通話料金を非常に安価にすることができる。現実には、ルートＲ１のように同一通信事業者のＩＰ電話同士の通話の場合、通話料金を無料に設定している通信事業者が多い。
【００２７】
相手が一般加入電話２１２である場合、通話はＩＰ網１０５及び電話回線網１０３の一部を使用して行われる（ルートＲ２）。具体的には、通話経路はコードレス電話機１００からＩＰ網１０５を介して一般加入電話２１２の地域に近い通信事業者Ａの端末へ到達し、そこから電話回線網１０３により電話局などを経由して一般加入電話２１２へと接続される。よって、電話回線網１０３のみを経由して一般加入電話２１２へ接続する場合と比較すると、ＩＰ網１０５を経由している分、電話回線網１０３を通過する区間が短くなるので、その分通話料金が安くなる。
【００２８】
一方、「１１０」、「１１９」などの特殊番号２１３への発信はＩＰ電話を利用することができないので、コードレス電話１００から電話回線網１０３を経由して特殊番号２１３へ接続される（ルートＲ３）。
【００２９】
また、携帯電話（「080」/「090」発信）、ＰＨＳ（「070」発信）、フリーダイヤル（「0120」発信）などの所定の除外番号２１４についても、現状ではＩＰ電話が利用できないので、電話回線網１０３のみを使用して通話が行われる（ルートＲ４）。
【００３０】
従って、ＩＰ網１０５を経由するルートＲ１及びＲ２の場合がＩＰ電話通話であり、通常の電話回線網１０３を経由する場合と比べて通話料金が安くなる。一方、ルートＲ３及びＲ４の場合は、ＩＰ網１０５を経由しない加入電話通話であるので、通話料金は安くならない。
【００３１】
図５は、本実施例の転送電話機能に関連する部分の概略構成を示す機能ブロック図である。図示のように、コードレス電話機１００は、親機１１０ａと子機１１０ｂがそれぞれのアンテナ部６、２１を介して通信可能とされている。
【００３２】
親機１１０ａは、主制御部１１１ａと、表示部１１２ａと、操作部１１３ａと、無線部１１４ａと、記憶部１１５ａを備えて構成される。主制御部１１１ａは、親機１１０ａを利用した通話処理に加えて、親機１１０ａから子機１１０ｂへ、または逆に子機１１０ｂから親機１１０ａへのデータの送受信処理全体にわたる必要な制御を行う。
【００３３】
表示部１１２ａは例えば液晶パネルなどにより構成され、電話番号など、電話に関する必要な情報の表示に使用される。操作部１１３ａは、ユーザが操作する操作ボタンなどにより構成される。無線部１１４ａは子機との間で必要なデータを無線通信する。
【００３４】
記憶部１１５ａは、ユーザが親機１１０ａまたは子機１１０ｂに登録した登録データを電話帳データとして記録する。また、記憶部１１５ａは送信履歴、着信履歴などのデータを記憶しておくことができる。
【００３５】
さらに、本実施例では、記憶部１１５ａは、転送電話機能において使用される転送先電話番号を記憶する。転送先電話番号はコードレス電話機１００のユーザにより予め設定され、複数であってもよい。但し、本実施例のコードレス電話機１００では、転送先との通話はＩＰ電話通話であるので、転送先電話番号はＩＰ電話通話が可能な電話番号、即ち、特定の通信事業者（キャリア）によるＩＰ電話サービスの対象となる電話番号である必要がある。
【００３６】
さらに、親機１１０ａは、網制御部１１６及び１１９と、音声合成再生部１１７と、音声制御部１１８とを備える。網制御部１１６は外部の電話回線網１０３との間の通信に関する制御を行うものであり、網制御部１１９は外部のＩＰ網１０５との間の通信に関する制御を行うものである。
【００３７】
音声合成再生部１１７は、外部からの着信を転送する間に、転送処理中である旨の音声メッセージを再生する。音声メッセージは、例えば「転送中です。しばらくお待ち下さい。」などとすることができる。なお、転送中に音声メッセージを再生せず、例えばリングバックトーン（ＲＢＴ：Ring Back Tone）などを再生する場合には、音声合成再生部１１７を省略することもできる。
【００３８】
音声制御部１１８は、転送電話機能における音声信号と音声データの切り替え処理などを行う。具体的には、電話回線網１０３を通じて外部から着信があると、音声制御部１１８は音声合成再生部１１７から再生される音声メッセージを網制御部１１６へ供給し、発信元に対して当該音声メッセージを流す。これと同時に、音声制御部１１８は、主制御部１１１ａから転送先電話番号を受け取り、網制御部１１９を制御してＩＰ網１０５を介して転送先電話番号へ発信する。なお、主制御部１１１ａは、記憶部１１５ａから転送先電話番号を取得する。転送先電話番号への接続が確立すると、音声制御部１１８は、網制御部１１６への音声メッセージの供給を停止し、網制御部１１６と網制御部１１９とを接続する。
【００３９】
こうして転送先への接続が確立し、外部の発信元のユーザが通話を開始すると、音声制御部１１８はそのアナログ音声信号を網制御部１１６を通じて受信し、デジタル音声データに変換して網制御部１１９へ供給する。網制御部１１９が通話内容のデジタル音声データをＩＰ網１０５を通じて送信することにより、ＩＰ電話通話がなされる。
【００４０】
なお、必要に応じて、音声制御部１１８は、網制御部１１６から供給されるアナログ音声信号と、網制御部１１９へ供給するデジタル音声データのレベル調整を行う。具体的には、網制御部１１９へ出力するデジタル音声データのレベルを、網制御部１１６から供給されたアナログ音声信号のレベルとほぼ同等となるように調整する。
【００４１】
一方、子機１１０ｂは、主制御部１１１ｂと、表示部１１２ｂと、操作部１１３ｂと、無線部１１４ｂと、を備え、各部の働きは親機１１０ａのものと同様である。
【００４２】
なお、以下の説明において、親機又は子機の構成要素であって、いずれかを区別する必要が無い場合には、添え字を省略して表記する。例えば、「主制御部１１１ａ」と言った場合は親機の主制御部を指し、単に「主制御部１１１」と言った場合は親機又は子機のいずれかの主制御部を指すものとする。また、説明の便宜上、「コードレス電話機１００」を単に「電話機１００」と記すことがある。
【００４３】
次に、転送電話機能を実現するためのコードレス電話機１００と周辺機器との接続例を図６に示す。図６の例では、コードレス電話機１００は通常のアナログ電話機である。ＮＴＴ交換局に接続されたモジュラーケーブルはスプリッタ２０６と接続される。また、スプリッタ２０６は、コードレス電話機１００のＬＩＮＥ  ＩＮ端子と接続されるとともに、ＩＰ電話対応ＡＤＳＬモデム２０４を介してコードレス電話機１００のＬＩＮＥ  ＯＵＴ端子と接続される。なお、ＬＩＮＥ  ＩＮ端子は図５における網制御部１１６の外部端子Ｔ１に対応し、ＬＩＮＥ  ＯＵＴ端子は図５における網制御部１１９の外部端子Ｔ２に対応する。
【００４４】
スプリッタ２０６は、ＮＴＴ交換局に接続されたケーブルにより伝送される信号のうち、通常の加入電話の低域アナログ信号と、ＡＤＳＬによる高域アナログ信号を分離するフィルタである。ＡＤＳＬモデム２０４は、スプリッタ２０６を通じて供給された高域アナログ信号をデジタルデータに変換し、ＰＣなどに出力するとともに、コードレス電話機１００から供給されたデジタル音声データをアナログ信号に変換してスプリッタ２０６へ供給する。
【００４５】
図６において、外部からの着信は破線の経路Ｐ１に沿って転送先電話番号へ転送される。即ち、外部からの着信はスプリッタ２０６により高域信号と分離され、コードレス電話機１００へ入力される。コードレス電話機１００内では、図５に示したように、外部からの着信信号をデジタル音声データに変換し、ＬＩＮＥ  ＯＵＴ端子からＡＤＳＬモデム２０４に供給する。デジタル音声データは、ＡＤＳＬモデム２０４によりアナログ信号に変換され、スプリッタ２０６を介してＩＳＰ（Internet Service Provider）へ送られ、ＩＰ網１０５を経由して転送先とＩＰ電話通話がなされる。なお、ＡＤＳＬによる通信データは破線の経路Ｐ２に示すように、スプリッタ２０６を介してＡＤＳＬモデム２０４に入力され、デジタルデータに変換されてＰＣなどに出力される。
【００４６】
次に、本実施例における転送電話機能による転送処理について説明する。図７に転送処理のフローチャートを示す。この転送処理は、予めコードレス電話機１００内に設定しておいた転送先電話番号への転送を行うものである。なお、転送処理は、図５に示す親機１１０ａの主制御部１１１ａが所定のプログラムを実行して記憶部１１５ａ、網制御部１１６及び１１９、音声合成再生部１１７及び音声制御部１１８を制御することにより実現される。
【００４７】
まず、主制御部１１１ａは、ＬＩＮＥ  ＩＮに着信があったか否かを検出し（ステップＳ１１）、着信が合った場合はＬＩＮＥ  ＩＮ回線を閉結する（ステップＳ１２）。即ち、主制御部１１１ａは網制御部１１６を制御して、外部の電話回線網１０３との接続を確立する。次に、主制御部１１１ａは、音声合成再生部１１７及び音声制御部１１８を制御し、網制御部１１６を介して音声メッセージを外部の発信元へ送出する（ステップＳ１３）。これにより、外部の発信元のユーザは、電話転送処理中であることを知る。
【００４８】
次に、主制御部１１１ａは網制御部１１９を制御してＬＩＮＥ  ＯＵＴ回線を閉結する（ステップＳ１４）。即ち、主制御部１１１ａは、網制御部１１９によりＩＰ網１０５との接続を確立する。そして、主制御部１１１ａは、記憶部１１５ａから転送先電話番号を取得し（ステップＳ１５）、ＬＩＮＥ  ＯＵＴへその転送先電話番号を送出する（ステップＳ１６）。転送先電話番号はＩＰ電話通話可能な番号であるので、当該電話番号へはＩＰ網１０５を介して接続される。そして、転送先電話番号との接続が確立されると、主制御部１１１ａは音声メッセージの再生を停止し、ＬＩＮＥ  ＩＮとＬＩＮＥ  ＯＵＴの音声経路を結合する（ステップＳ１７）。即ち、主制御部１１１ａは、音声制御部１１８を介して、網制御部１１６と網制御部１１９とを接続する。これにより、それ以降は、外部の発信先ユーザの通話音声は網制御部１１６を介して音声制御部１１８へ入力され、デジタル音声データに変換される。そして、そのデジタル音声データは、網制御部１１９、ＩＰ網１０５を介して転送先電話番号へ送出される。こうして、電話転送が実現される。
【００４９】
次に、転送処理の他の例について説明する。上記の例では、予めコードレス電話機１００に設定されていた転送先電話番号へ自動的に転送が行われている。その代わりに、外部の発信元のユーザが転送先電話番号を指定することができるようにすることもできる。その場合の転送処理のフローチャートを図８に示す。
【００５０】
図８に示すフローチャートにおいて、まず、主制御部１１１ａは、ＬＩＮＥ  ＩＮに着信があったか否かを検出し（ステップＳ２１）、着信があった場合はＬＩＮＥ  ＩＮ回線を閉結する（ステップＳ２２）。即ち、主制御部１１１ａは網制御部１１６を制御して、外部の電話回線網１０３との接続を確立する。次に、主制御部１１１ａは、音声合成再生部１１７及び音声制御部１１８を制御し、網制御部１１６を介して音声メッセージを外部の発信元へ送出する（ステップＳ２３）。これにより、外部の発信元のユーザは、電話転送処理中であることを知る。ここで、本例では外部の発信元ユーザに対して送出される音声メッセージには、転送先電話番号の入力を促すメッセージを含める。これに対し、発信元のユーザが電話機を操作して転送先電話番号を入力すると、その電話番号はプッシュ信号（ＤＴＭＦ：Dual Tone-Multiple Frequency）としてＬＩＮＥ  ＩＮからコードレス電話機１００へ入力され、主制御部１１１ａがその電話番号を取得する（ステップＳ２４）。
【００５１】
次に、主制御部１１１ａは、網制御部１１９を制御してＬＩＮＥ  ＯＵＴ回線を閉結する（ステップＳ２５）。即ち、主制御部１１１ａは、網制御部１１９によりＩＰ網１０５との接続を確立する。そして、主制御部１１１ａは、ステップＳ２４で発信先ユーザから取得した転送先電話番号をＬＩＮＥ  ＯＵＴへ送出する（ステップＳ２６）。転送先電話番号はＩＰ電話通話可能な番号であるので、当該電話番号へはＩＰ網１０５を介して接続される。そして、転送先電話番号との接続が確立されると、主制御部１１１ａは音声メッセージの再生を停止し、ＬＩＮＥ  ＩＮとＬＩＮＥ  ＯＵＴの音声経路を結合する（ステップＳ２７）。即ち、主制御部１１１ａは、音声制御部１１８を介して、網制御部１１６と網制御部１１９とを接続する。これにより、それ以降は、外部の発信先ユーザの通話音声は網制御部１１６を介して音声制御部１１８へ入力され、デジタル音声データに変換される。そして、そのデジタル音声データは、網制御部１１９、ＩＰ網１０５を介して転送先電話番号へ送出される。こうして、電話転送が実現される。
【００５２】
以上説明したように、本実施例では、ＩＰ電話を利用することにより、１回線の電話回線契約で転送電話が実現できるので、２回線の工事や契約は不要であり、安価に転送電話を実現することができる。また、転送電話において、加入電話による着信をＩＰ電話で転送することにより、通話料金を安くすることができる。また、加入電話とＩＰ電話を利用可能な電話機に本発明を適用すれば、特に追加の部品コストなどが不要であり、低コストで転送電話を実現できる。
【００５３】
［他の接続例］
次に、コードレス電話機１００と外部機器との他の接続例について説明する。
【００５４】
図９（ａ）はスプリッタ内蔵型のコードレス電話機１００ａを使用した場合の接続例を示す。コードレス電話１００ａ内部のスプリッタを経由する以外は、信号の流れは図６に示した接続例と同様である。即ち、外部からの着信は、経路Ｐ１に従い、内蔵スプリッタ→コードレス電話機（転送機能）→ＡＤＳＬモデム２０４→内蔵スプリッタと経由して外部のＩＰ網へ接続される。なお、外部からのＡＤＳＬデータは、経路Ｐ２に従い、コードレス電話機１００ａの内蔵スプリッタを経由してＡＤＳＬモデム２０４へ至り、ＰＣなどへ出力される。
【００５５】
図９（ｂ）は、スプリッタ及びＡＤＳＬモデムを内蔵したコードレス電話機１００ｂを使用した場合の例であり、信号の経路は同様である。即ち、外部からの着信は、経路Ｐ１に従い、内蔵スプリッタ→コードレス電話機（転送機能）→内蔵ＡＤＳＬモデム→内蔵スプリッタと経由して外部のＩＰ網へ接続される。なお、外部からのＡＤＳＬデータは、経路Ｐ２に従い、コードレス電話機１００ａの内蔵スプリッタを経由して内蔵ＡＤＳＬモデムへ至り、ＰＣなどへ出力される。
【００５６】
［変形例］
上記の実施例においては、電話回線網を通じて着信を受け、ＩＰ網を通じて転送先へ転送を行うこととしているが、それと逆に、ＩＰ網を通じて着信を受け、電話回線網を通じて転送先へ転送することとしてもよい。その場合、転送先への発信が加入電話通話となるので、通話料金はＩＰ電話と比較して高くなるが、１回線の契約で転送電話を実現できるという利益は得られる。
【図面の簡単な説明】
【００５７】
【図１】本発明の実施例に係るコードレス電話機の全体構成を模式的に示す。
【図２】親機の概略構成を示すブロック図である。
【図３】子機の概略構成を示すブロック図である。
【図４】ＩＰ網及び電話回線網を利用した通話経路の例を示す図である。
【図５】本発明の実施例によるコードレス電話の構成を示す機能ブロック図である。
【図６】電話機と周辺機器の接続例を示す図である。
【図７】電話転送機能による転送処理の一例のフローチャートである。
【図８】転送処理の他の例のフローチャートである。
【図９】電話機と周辺機器の他の接続例を示す図である。
【符号の説明】
【００５８】
６、２１  アンテナ  １００  コードレス電話機
１０３  電話回線網
１０５  ＩＰ網
１１０ａ  親機
１１０ｂ  子機
１１１ａ、１１１ｂ  主制御部
１１２ａ、１１２ｂ  表示部
１１３ａ、１１３ｂ  操作部
１１４ａ、１１４ｂ  無線部
１１５ａ  記憶部
１１６、１１９  網制御部
１１７  音声合成再生部
１１８  音声制御部
２０４  ＡＤＳＬモデム
２０６  スプリッタ
【図１】
2005333329.tif 000003
【図２】
2005333329.tif 000004
【図３】
2005333329.tif 000005
【図４】
2005333329.tif 000006
【図５】
2005333329.tif 000007
【図６】
2005333329.tif 000008
【図７】
2005333329.tif 000009
【図８】
2005333329.tif 000010
【図９】
2005333329.tif 000011